(57)【要約】【課題】タッチパネルの操作による入力操作の操作性を向上する。【解決手段】タッチパネル４７がＬＣＤ４６の表示面よりやや大きい表示・センサー部５１ａと、表示面の１辺例えば向かって右側の１辺から外側へはみ出したセンサー部５１ｂとからなる。ユーザの指５２は、表示・センサー部５１ａ上で所望のボタン、アイコン等の被選択項目をタッチし、また、センサー部５１ｂ上で上下に移動するようになされる。複数のボタンからなる被選択表示５３がＬＣＤ４６によって表示面の右側の辺に沿って表示される。指５２の横のボタンがハイライトされ、指５２を離すと、ハイライトされているボタンが選択される。指５２に隣接してボタンがないと、ボタンがハイライトされず、指５２を離しても状態が変化しない。指５２を表示・センサー部５１ａにずらすと、被選択表示５３が消える。【選択図】  図３
2005004690.tif 000002
【特許請求の範囲】
【請求項１】
表示装置の表示面上にタッチパネルが積層され、
上記表示面の一つの辺の外側に拡張してセンサー部が形成され、
上記センサー部に対する指またはタッチペンのタッチの位置に応じた指示が与えられ、上記指示に基づいて制御信号をコントローラが発生する入力装置を使用する入力方法であって、
上記センサー部に対して指またはタッチペンをタッチする時に、上記表示面の上記辺に沿って複数の被選択項目からなる被選択表示を表示するステップと、
上記センサー部上で上記辺に沿って指またはタッチペンを移動させる時に、一つの上記被選択項目を指示するステップと、
上記センサー部から指またはタッチペンを離す時に、指示されている上記被選択項目の選択を指示するステップとからなる入力方法。
【請求項２】
請求項１において、
上記表示面と重なる上記タッチパネルの表示・センサー部上で所定のボタンを操作することによって、上記ボタンに対応する指示を発生する入力方法。
【請求項３】
請求項１において、
指またはタッチペンを上記センサー部から上記表示面側にずらす時に、上記被選択表示を終了する入力方法。
【請求項４】
請求項１において、
上記被選択表示がメニュー表示である入力方法。
【請求項５】
表示装置の表示面上にタッチパネルが積層された入力装置において、
上記表示面の一つの辺の外側に拡張して形成されたセンサー部と、
上記センサー部に対する指またはタッチペンのタッチの位置に応じた指示が与えられ、上記指示に基づいて制御信号を発生するコントローラとを備え、
上記コントローラは、上記センサー部に対して指またはタッチペンをタッチする時に、上記表示面の上記辺に沿って複数の被選択項目からなる被選択表示が表示され、上記センサー部上で上記辺に沿って指またはタッチペンを移動させる時に、一つの上記被選択項目が指示されるように表示装置を制御し、
上記コントローラは、上記センサー部から指またはタッチペンを離す時に、指示されている上記被選択項目の選択を指示する制御信号を発生する入力装置。
【請求項６】
請求項５において、
上記表示面と重なる上記タッチパネルの表示・センサー部上で所定のボタンを操作することによって、上記コントローラが上記ボタンに対応する指示を発生する入力装置。
【請求項７】
請求項５において、
指またはタッチペンを上記センサー部から上記表示面側にずらす時に、上記被選択表示を終了する入力装置。
【請求項８】
請求項５において、
上記被選択表示がメニュー表示である入力装置。
【発明の詳細な説明】
【０００１】
【発明の属する技術分野】
この発明は、液晶等のディスプレイのスクリーン上にタッチパネルを取り付けた構成の入力装置およびこの種の入力装置を使用する入力方法に関する。
【０００２】
【従来の技術】
従来、ディジタル放送受信機として、大型のスクリーンを有するディスプレイ本体と別に小型のディスプレイを有する補助入出力装置を設け、ディスプレイ本体と補助入出力装置とが無線で接続された構成が下記の特許文献１に記載されている。特許文献１に記載の装置は、補助入出力装置がスクリーン上にタッチパネルが配された構成とされ、電子番組表を補助入出力装置上に表示し、所望の番組を選択したり、所望の番組の録画予約を行う操作を補助入出力装置のタッチパネルを通じて行うものである。
【０００３】
【特許文献１】
特開２００１−２０３９０８号公報
【０００４】
【発明が解決しようとする課題】
しかしながら、特許文献１に記載のような二つのディスプレイを有するシステムであって、補助入出力装置をタッチパネルの構成とした場合において、タッチパネルの操作によって、放送コンテンツ、インターネットコンテンツ等を選択、視聴する際に、２段階の操作を必要としていた。すなわち、ユーザが所望のコンテンツを選択する際には、先ず、メニュー表示モードに入るか、メニュー表示モードに入るのに相当する操作した後に、そのメニューの中から視聴したいソースを選択するというように、所望のコンテンツにたどり着くまでに２段階の操作が必要であった。
【０００５】
したがって、この発明の目的は、タッチパネルを使用して入力を行う場合に、メニューの表示と、表示されているメニューの中から視聴したいソースを選択する操作を１回で行うことができ、操作性が改善された入力方法および入力装置を提供することにある。
【０００６】
【課題を解決するための手段】
上述した課題を解決するために、請求項１の発明は、表示装置の表示面上にタッチパネルが積層され、
表示面の一つの辺の外側に拡張してセンサー部が形成され、
センサー部に対する指またはタッチペンのタッチの位置に応じた指示が与えられ、指示に基づいて制御信号をコントローラが発生する入力装置を使用する入力方法であって、
センサー部に対して指またはタッチペンをタッチする時に、表示面の辺に沿って複数の被選択項目からなる被選択表示を表示するステップと、
センサー部上で辺に沿って指またはタッチペンを移動させる時に、一つの被選択項目を指示するステップと、
センサー部から指またはタッチペンを離す時に、指示されている被選択項目の選択を指示するステップとからなる入力方法である。
【０００７】
請求項５の発明は、表示装置の表示面上にタッチパネルが積層された入力装置において、
表示面の一つの辺の外側に拡張して形成されたセンサー部と、
センサー部に対する指またはタッチペンのタッチの位置に応じた指示が与えられ、指示に基づいて制御信号を発生するコントローラとを備え、
コントローラは、センサー部に対して指またはタッチペンをタッチする時に、表示面の辺に沿って複数の被選択項目からなる被選択表示が表示され、センサー部上で辺に沿って指またはタッチペンを移動させる時に、一つの被選択項目が指示されるように表示装置を制御し、
コントローラは、センサー部から指またはタッチペンを離す時に、指示されている被選択項目の選択を指示する制御信号を発生する入力装置である。
【０００８】
この発明では、タッチによって被選択表示例えばメニューを表示させ、センサー部から指またはタッチペンを離すことによって、一つの被選択項目例えばソースを選択することができ、タッチおよびリリースの１回の操作でメニューの表示と選択とを行うことができ、操作性を改善できる。また、被選択表示がセンサー部の近傍の辺に沿って表示されるので、指示される項目が分かり易く、また、被選択表示で画面が見えにくくなることを避けることができる。
【０００９】
【発明の実施の形態】
以下、この発明の一実施形態について、図面を参照して説明する。図１において、参照符号１がこの発明が適用された表示システムの全体を示す。参照符号２がＰＤＰ（Ｐｌａｓｍａ  Ｄｉｓｐｌａｙ  Ｐａｎｅｌ）、ＬＣＤ（Ｌｉｑｕｉｄ  Ｃｒｙｓｔａｌ  Ｄｉｓｐｌａｙ）等の大型の表示パネルを有する第１の表示部（以下、１次ディスプレイと適宜称する）を示し、参照符号３が小型な２次ディスプレイ（以下、２次ディスプレイと適宜称する）を示す。２次ディスプレイ３は、小型例えば７インチのＬＣＤにタッチパネルが積層された構成とされ、受け台４上に置かれ、必要に応じてユーザが持ち運び可能とされている。
【００１０】
１次ディスプレイ２に対してメディアレシーバ５を通じて表示すべき映像信号が供給される。映像信号は、放送信号またはインターネットを介して配信されるストリーミングデータである。放送信号は、アンテナ５で受信され、ストリーミングデータは、スイッチ７で分岐され、ＬＡＮ（Ｌｏｃａｌ  Ａｒｅａ  Ｎｅｔｗｏｒｋ）を介してメディアレシーバ５に供給される。スイッチ７の他の分岐に対してパーソナルコンピュータ８が接続されている。
【００１１】
インターネット１０を介して配信されたデータがＡＤＳＬ（Ａｓｙｍｍｅｔｒｉｃ  Ｄｉｇｉｔａｌ  Ｓｕｂｓｃｒｉｂｅｒ  Ｌｉｎｅ）ＭＯＤＥＭ（ｍｏｄｕｌａｔｏｒ−ｄｅｍｏｄｕｌａｔｏｒ）のＷＡＮ（Ｗｉｄｅ  Ａｒｅａ  Ｎｅｔｗｏｒｋ）側に入力され、ＭＯＤＥＭ９のＬＡＮ側にスイッチ７が接続される。ＡＤＳＬは、ブロードバンド接続の一例であり、外にＣＡＴＶ（ｃａｂｌｅ  ｔｅｌｅｖｉｓｉｏｎ）、ＦＴＴＨ（Ｆｉｂｅｒ  Ｔｏ  Ｔｈｅ  Ｈｏｍｅ）等を使用したブロードバンド接続を介して映像コンテンツを受信するようにしても良い。なお、通常は、映像コンテンツに音声データが付随している。
【００１２】
メディアレシーバ５は、１次ディスプレイ２および２次ディスプレイ３のそれぞれに対して受信信号を供給するために、２個のチューナを有する。メディアレシーバ５は、映像信号を無線ＬＡＮのアクセスポイント１１を介して２次ディスプレイ３に対して送信可能とされている。一方、２次ディスプレイ３からアクセスポイント１１に対して、リモコン信号等の制御用データを送信でき、双方向通信が可能とされている。例えばＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１１の無線方式を使用でき、その中の例えば８０２．１１ａの規格を使用できる。この規格は、５．２ＧＨｚの周波数を使用し、最大で５４Ｍｂｐｓの伝送速度を実現できるものである。
【００１３】
図２は、１次ディスプレイ２および２次ディスプレイ３からなる表示システムの一例の構成をより詳細に示すものである。１次ディスプレイ２は、例えば３０インチ以上の比較的大型の表示パネル２１とその駆動部（図示しない）を備える。
【００１４】
メディアレシーバ５には、地上波受信用のメインチューナ２２ａおよびサブチューナ２２ｂが含まれる。参照符号２３は、ＢＳ（Ｂｒｏａｄｃａｓｔｉｎｇ  Ｓａｔｅｌｌｉｔｅ）および１１０°ＣＳ（Ｃｏｍｍｕｎｉｃａｔｏｎ  Ｓａｔｅｌｌｉｔｅ）受信用のディジタルチューナである。図示が省略されているが、チューナ２２ａおよび２２ｂには、ＵＨＦ／ＶＨＦアンテナの出力が供給され、ディジタルチューナ２３には、ＢＳ／１１０°ＣＳ受信用のパラボラアンテナの出力が供給される。一実施形態では、メインチューナ２２ａが１次ディスプレイ２のために使用され、サブチューナ２２ｂが２次ディスプレイ３のために使用される。
【００１５】
メインチューナ２２ａおよびサブチューナ２２ｂのそれぞれ映像信号がＡＶスイッチ２４に供給される。ＡＶスイッチ２４の出力映像信号が画像処理部２５および信号処理部３２に対して入力される。画像処理部２５は、解像度をより高める等の画質を改善するための画像処理を行う。
【００１６】
画像処理部２５の出力信号がディスプレイインターフェースである、ＤＶＩ（Ｄｉｇｉｔａｌ  Ｖｉｓｕａｌ  Ｉｎｔｅｒｆａｃｅ）２６を介して１次ディスプレイ２の表示パネル２１に対して入力される。ＤＶＩ２６の前段には、図示しないが、表示パネル２１の画質調整回路が設けられている。さらに、表示パネル２１に対してディジタル映像信号を供給する場合に、放送コンテンツの不正なコピーを防止するコピー防止信号も出力される。例えばＨＤＣＰ（Ｈｉｇｈ  ｂａｎｄｗｉｔｈ  Ｄｉｇｉｔａｌ  Ｃｏｎｔｅｎｔ  Ｐｒｏｔｅｃｔｉｏｎ）を使用することができる。
【００１７】
ディジタルチューナ２３の出力信号がビデオデコーダ２７に対して入力される。例えばＭＰＥＧ２（Ｍｏｖｉｎｇ  Ｐｉｃｔｕｒｅ  Ｅｘｐｅｒｔｓ  Ｇｒｏｕｐ  Ｐｈａｓｅ  ２）の復号がビデオデコーダ２７によってなされる。ビデオデコーダ２７からのＨＤ（ＨＩｇｈ  Ｄｅｆｉｎｉｔｉｏｎ）映像信号が画像処理部２５に供給され、ＤＶＩ２６を介して表示パネル２１に対して入力される。
【００１８】
ビデオデコーダ２７は、ＳＤ（Ｓｔａｎｄａｒｄ  Ｄｅｆｉｎｉｔｉｏｎ）映像信号例えば４８０Ｉ（ライン数が４８０本のインタレース信号）を信号処理部３２に対して出力する機能を有する。なお、参照符号２８は、１次ディスプレイ２およびメディアレシーバ５の動作を制御するシステムコントローラであり、ＣＰＵ（Ｃｅｎｔｒａｌ  Ｐｒｏｃｅｓｓｉｎｇ  Ｕｎｉｔ）から構成されている。例えばシステムコントローラ２８は、メインチューナ２２ａおよびサブチューナ２２ｂの選局状態を制御する。
【００１９】
インターネットを介して受け取ったストリーミングデータおよびホームページのデータがＬＡＮ３１を介して信号処理部３２に対して供給される。信号処理部３２は、二つのＤＳＰ（Ｄｉｇｉｔａｌ  Ｓｉｇｎａｌ  Ｐｒｏｃｅｓｓｏｒ）３３および３４がバス例えばＰＣＩ（Ｐｅｒｉｐｈｅｒａｌ  Ｃｏｍｐｏｎｅｎｔ  Ｉｎｔｅｒｃｏｎｎｅｃｔ）３５に接続され、ＣＰＵで構成されているコントローラ３６がブリッジ３７を介してＰＣＩ３５に接続されている。
【００２０】
信号処理部３２は、入力されたストリーミングデータの復号を行い、復号された映像信号が画像処理部２５に供給され、１次ディスプレイ２によって表示される。したがって、１次ディスプレイ２では、メインチューナ２２ａおよびディジタルチューナ２３のそれぞれからの放送信号を表示でき、また、インターネットを介して受け取ったコンテンツを表示できる。
【００２１】
信号処理部３２は、サブチューナ２２ｂおよびディジタルチューナ２３からの映像信号を暗号化し、さらに、暗号化した映像信号を無線で送信可能なフォーマットに変換し、アクセスポイント１１を介して２次ディスプレイ３に送出する。インターネットを介して受信したストリーミングデータ等のコンテンツは、復号しないで、アクセスポイント１１を介して２次ディスプレイ３に対して送出する。一方、アクセスポイント１１で受信された２次ディスプレイ３からのリモコン信号等の制御信号を処理し、システムコントローラ２８に対して送出する。
【００２２】
２次ディスプレイ３は、アクセスポイント１１と無線通信を行う送受信機４１を有し、送受信機４１に対して信号処理部４２が接続されている。信号処理部４２は、２次ディスプレイ３の動作を制御するシステムコントローラ４３とＤＳＰ４４がＰＣＩ４５を介して接続された構成とされている。
【００２３】
信号処理部４２に対して、表示パネル例えばＬＣＤ４６と、ＬＣＤ４６の画面に積層された透明なタッチパネル４７と、スピーカ４８と、メモリカード４９とが接続されている。さらに、電源としてのバッテリ５０が設けられている。バッテリ５０は、例えば受け台（図１参照）内に収納される。信号処理部４２は、アクセスポイント１１から受信した暗号化映像信号を復号し、また、インターネットを介して受信したデータを復号し、復号信号をＬＣＤ４６に表示する。さらに、タッチパネル４７の操作で発生したリモコン信号、コマンド等を１次ディスプレイ２側に送信する。さらに、メモリカード４９に格納されている静止画データを復号し、ＬＣＤ４６に表示する機能を有している。
【００２４】
上述したこの発明の一実施形態による表示システムの動作について以下に説明する。メインチューナ２２ａにて復調されたベースバンドのアナログ映像信号は、ディジタル信号に変換されて、画像処理部２５で画質改善の処理を受け、インタレース・プログレッシブ変換の処理の後にＤＶＩ２６を介して表示パネル２１に対して出力される。
【００２５】
また、サブチューナ２２ｂにて復調されたベースバンドアナログ信号は、信号処理部３２に供給され、ディジタル信号に変換されてからＭＰＥＧ２、ＭＰＥＧ４等のディジタル圧縮フォーマットで圧縮される。そして、圧縮映像信号が暗号化の処理を受けてからアクセスポイント１１を介して無線ＬＡＮで２次ディスプレイ３に対して送信される。２次ディスプレイ３の信号処理部４２にて暗号化の復号、および伸張処理を受け、ＬＣＤ４６にて表示される。
【００２６】
入力ソースがディジタル放送信号の場合では、ディジタルチューナ２３にディジタル放送信号が入力され、ディジタルチューナ２３のディジタルフロントエンドブロックにて復調された後にビデオデコーダ２７でディジタルビデオ信号が復号される。ディジタルビデオ信号が画像処理部２５およびＤＶＩ２６を介して表示パネル２１に表示される。
【００２７】
ビデオデコーダ２７から出力されるＳＤ信号例えば４８０Ｉの映像信号は、信号処理部３２に送られ、信号処理部３２によってディジタル圧縮フォーマットにて圧縮され、暗号化される。そして、無線ＬＡＮのアクセスポイント１１から２次ディスプレイ３に対して送信される。また、入力ソースがＨＤ信号の場合では、ＳＤ信号例えば４８０Ｉの映像信号へダウンコンバートしてから信号処理部３２に対して送る。ダウンコンバートは、ディジタル放送コンテンツの著作権保護のために行う処理である。
【００２８】
入力ソースがインターネットからのストリーミングコンテンツの場合では、ＬＡＮ３１から入力された信号が信号処理部３２において、ストリーミング圧縮フォーマットに応じてストリーミングデコード処理がなされ、画像処理部２５およびＤＶＩ２６を介して表示パネル２１に対して送られる。
【００２９】
また、２次ディスプレイ３に対してストリーミングコンテンツを表示する場合には、信号処理部３２においてデコード処理を受けずに、ストリーミング圧縮フォーマットで圧縮された状態のままで、無線ＬＡＮによって２次ディスプレイ３に対して送出される。そして、２次ディスプレイ３の信号処理部４２によってストリーミング圧縮の復号処理がなされ、ＬＣＤ４６に復号された映像が表示されると共に、復号された音声がスピーカ４８により再生される。
【００３０】
この発明は、上述した表示システムにおいて、放送の選局操作や、インターネットのコンテンツを選ぶ際のＧＵＩ（Ｇｒａｐｈｉｃａｌ  Ｕｓｅｒ  Ｉｎｔｅｒｆａｃｅ）の改良を図るものである。すなわち、従来では、タッチパネルを操作する場合、ユーザが所望のコンテンツを選ぶ際には、まず、メニュー表示モードに入るか、または相当の操作をした後に、さらにそのメニューの中から視聴したいソースを選択するというように、所望のコンテンツにたどり着くには、必ず２段階の操作が必要とされていた。この点を改善して、タッチおよびリリース操作、すなわち、１回の操作で済むようにしたものである。
【００３１】
この発明の一実施形態の概略について図３および図４を参照して説明する。図３Ａは、２次ディスプレイ３のＬＣＤ４６上に積層されたタッチパネル４７を示している。タッチパネル４７が透明なものであり、ＬＣＤ４６の表示画像をタッチパネル４７を通じて見えることが可能とされている。タッチパネル４７の具体的構成としては、接触圧力が加わった位置を検出する感圧式のもの、および接触を静電容量の変化として検出する静電式の何れの方式のものを使用しても良い。さらに、赤外線発光ダイオードとフォトトランジスタからなるセンサーを多数設けた赤外線検出方式のタッチパネルを使用することもできる。
【００３２】
通常、タッチパネル４７の大きさは、ＬＣＤ４６の表示面とほぼ同一とされている。一実施形態では、タッチパネル４７のサイズがＬＣＤ４６の表示面より大きなサイズとされている。図３の例では、タッチパネル４７がＬＣＤ４６の表示面よりやや大きい表示・センサー部５１ａと、表示面の１辺例えば向かって右側の１辺から外側へはみ出したセンサー部５１ｂとからなる。ユーザの指５２（指以外に棒状のタッチペンでも良い）は、表示・センサー部５１ａ上で所望のボタン、アイコン等の被選択項目をタッチし、また、センサー部５１ｂ上で上下に移動するようになされる。
【００３３】
一方、タッチパネル４７の操作に応じて選択される複数の被選択項目例えば第１のボタン〜第５のボタンからなる被選択表示５３がＬＣＤ４６によって表示面の右側の辺に沿って表示される。一実施形態では、センサーデバイス部分５１ｂと平行して上下方向に複数の被選択表示５３が表示される。
【００３４】
なお、タッチパネル４７の構成としては、上述したもの以外のものが可能である。例えばセンサー部をＬＣＤ４６の表示面の他の１辺（左辺、上辺、下辺）の外側に設け、ＬＣＤ４６によってその辺に沿って複数の被選択項目が配列された被選択表示が表示されるようにしても良い。また、表示面の１辺に沿って部分的に帯状のタッチパネルを設けても良い。
【００３５】
このように、センサー部５１ｂが表示面の外側に設けられているので、センサー部５１ｂを繰り返し操作することによる汚れによって表示画面が見にくくなることを避けることができる。また、被選択表示５３がセンサー部５１ｂが設けられた辺に沿って画面の端に表示されるので、被選択表示５３によってＬＣＤ４６の表示画像が見にくくなる程度を少なくできる。
【００３６】
図４に示すフローチャートにおいて、ステップＳ１において、センサー部５１ｂが指５２でタッチされる。それによって、表示面上に図３Ａに示すように、被選択表示５３が表示される。
【００３７】
ステップＳ２において、センサー部５１ｂにタッチしたままで、指５２を上下させると、指と同じ高さの位置のボタンが指示され、そのボタンがハイライトされる。ハイライトは、指示されているボタンを視覚上識別可能な表示を意味し、輝度、色、反転、点滅等を異ならせることを意味する。図３Ａでは、第３のボタンがハイライトされている。
【００３８】
ステップＳ３において、ボタン例えば第３のボタンがハイライトされている状態で指５２をセンサー部５１ｂから離すと、第３のボタンが選択される。すなわち、被選択表示５３を表示させる操作と、被選択表示５３の中の所望の被選択項目を選択する操作とがタッチおよびリリースの１回の操作によって可能とされる。第３のボタンが選択されたことによって、第３のボタンに対応するより下位階層の画面がＬＣＤ４６によって表示される。
【００３９】
図３Ｂに示すように、指５２の位置がセンサー部５１ｂ上であるが、横にボタンが無い位置の場合には、ボタンがハイライトされない。すなわち、５個のボタンが配列された範囲以外の上または下側の領域にタッチした時には、隣接するボタンがないので、どのボタンもハイライトされない。ステップＳ４は、この状態で、センサー部５１ｂから指を離した場合であり、その場合では、選択行為がキャンセルされたものと判断され、処理が終了し、状態が変化しないで、被選択表示５３の表示が継続する。
【００４０】
さらに、図３Ｃに示すように、指５２を表示・センサー部５１ａにずらした場合には、選択行為がキャンセルされたものと判断され、処理が終了し、被選択表示５３の表示が消える。この場合は、その後に指５２を離しても状態が変化しない。
【００４１】
上述した一実施形態のより具体的な例について説明する。図５は、タッチパネル４７の右側のセンサー部５１ｂに指５２がタッチした時に表示される被選択表示例えばメニュー表示５４を示す。センサー部５１ｂにタッチしたまま指５２を上下させると、指５２とほぼ同じ高さのメニュー項目のみがハイライトされる。図５では、メニュー項目のチャンネルリストがハイライトされている情報を示す。
【００４２】
そして、ハイライトされているメニュー項目の位置で指５２がリリースされると、そのメニュー項目が選択される。選択されたメニュー項目に対応する下位階層の画面が表示される。図５では、省略しているが、メニュー表示５４が表示される場合に、タッチパネル４７の表示・センサー部５１ａには、２次ディスプレイ３のＬＣＤ４６の画像が表示されている。
【００４３】
図６は、「テレビチャンネルリスト」のメニュー項目が選択された場合の表示５５の一例である。地上波、ＢＳ、ＣＳ、入力（ビデオ１〜ビデオ４）のチャンネルがＬＣＤ４６に表示され、タッチパネル４７の表示・センサー部５１ａによって、所望のチャンネルの選択が可能とされている。図６のチャンネルリストは、例えば１次ディスプレイ２に表示されるものを示すリストの表示である。
【００４４】
図７は、「チャンネルリスト」のメニュー項目が選択された場合の表示５６の一例である。これは、２次ディスプレイ３で受信可能なコンテンツのリストを示している。図６に示されているテレビジョンのチャンネルおよびビデオ入力に加えて、インターネットを介して受信されるニュース等のチャンネルがＬＣＤ４６に表示され、タッチパネル４７の表示・センサー部５１ａによって、所望のチャンネルの選択が可能とされている。
【００４５】
図８は、「ＴＶリモコン」のメニュー項目が選択された場合の表示５７の一例である。ＬＣＤ４６の画面にリモコン用のボタンが表示され、タッチパネル４７の表示・センサー部５１ａにおいて、所望のボタンを押すことによって、１次ディスプレイ２およびメディアレシーバ５を制御することが可能とされている。リモコン用のボタンは、テンキー、音量増減、チャンネル切換等のボタンである。
【００４６】
図９は、「メモリスティック（商品名）」のメニュー項目が選択された場合の表示５８の一例である。ＬＣＤ４６の画面にメモリカード４９に記録されている静止画像のサムネールが表示される。一度に９枚のサムネールが表示可能であり、上下スクロールによって表示されるサムネールが切換可能とされている。
【００４７】
図１０は、「インターネット」のメニュー項目が選択された場合の表示５９の一例である。ＬＣＤ４６の画面にお気に入りとして登録されているホームページのタイトルおよびアドレスの一覧が表示され、また、検索用の語句を入力する欄が表示されている。さらに、その他のインターネットを介してサイトにアクセスするのに必要なボタンが表示されている。ホームページの閲覧は、通常、２次ディスプレイ３においてなされる。
【００４８】
図１１は、「セットアップ」のメニュー項目が選択された場合の表示６０の一例である。この表示６０は、地上波チャンネルを設定するための表示である。図１２は、「セットアップ」のメニューが選択された場合の表示６１の一例である。セットアップのメニューを選択した場合では、これらの表示６０および６１が使用されて１次ディスプレイ２およびメディアレシーバ５の状態が設定される。
【００４９】
図１２には、表示６１の下側に「スロー」「スワップ」「キャッチ」の操作のボタンが表示されている。スローとは、２次ディスプレイ３で表示している画像と同一の画像を１次ディスプレイ２に表示する処理である。スワップとは、１次ディスプレイ２の表示と２次ディスプレイ３の表示とを入れ替える処理である。キャッチとは、１次ディスプレイ２で表示している画像と同一の画像を２次ディスプレイ３に表示する処理である。
【００５０】
このような処理を行わせるコマンドは、上述したボタンにタッチする操作以外に、タッチパネル４７上で指５２を下から上へ動かす操作（スローの場合）、指５２を上から下へ動かす操作（キャッチの場合）によって発生させることが可能とされている。このような表示画像の変更の処理は、２次ディスプレイ３からのコマンドを１次ディスプレイ２側へ送信し、メインチューナ２２ａおよびサブチューナ２２ｂをシステムコントローラ２８によって制御することで可能とされている。チューナの制御によって、１次ディスプレイ２の表示パネル２１と２次ディスプレイ３のＬＣＤ４６の間で、恰も画像を双方向にやりとりしているような印象を与える操作が可能とされている。
【００５１】
この発明は、上述したこの発明の一実施形態等に限定されるものでは無く、この発明の要旨を逸脱しない範囲内で様々な変形や応用が可能である。例えば１次ディスプレイ２および２次ディスプレイ３を有するシステム以外に、一つのディスプレイを有するテレビジョン装置等に対してもこの発明を適用できる。
【００５２】
【発明の効果】
以上の説明から明らかなように、この発明では、タッチパネルにタッチすることによって被選択表示を表示させ、指またはタッチペンをタッチパネルに触れたまま移動させることで、被選択項目を指示し、タッチパネルから指またはタッチペンを離すことによって、指示している被選択項目を選択する。したがって、被選択表示を表示させる処理と、被選択項目の選択とをタッチとリリースの１回の操作で行うことができ、入力操作の操作性を向上させることができる。
【図面の簡単な説明】
【図１】この発明の一実施形態のシステム構成を示すブロック図である。
【図２】この発明の一実施形態のより詳細な構成を示すブロック図である。
【図３】この発明の一実施形態の説明に用いる略線図である。
【図４】この発明の一実施形態の説明に用いるフローチャートである。
【図５】この発明の一実施形態のより具体的な表示例を示す略線図である。
【図６】メニュー表示で選択されたメニューに対応する表示例を示す略線図である。
【図７】メニュー表示で選択されたメニューに対応する表示例を示す略線図である。
【図８】メニュー表示で選択されたメニューに対応する表示例を示す略線図である。
【図９】メニュー表示で選択されたメニューに対応する表示例を示す略線図である。
【図１０】メニュー表示で選択されたメニューに対応する表示例を示す略線図である。
【図１１】メニュー表示で選択されたメニューに対応する表示例を示す略線図である。
【図１２】メニュー表示で選択されたメニューに対応する表示例を示す略線図である。
【符号の説明】
２・・・１次ディスプレイ、３・・・２次ディスプレイ、４・・・受け台、５・・・メディアレシーバ、１１・・・アクセスポイント、２２ａ・・・メインチューナ、２２ｂ・・・サブチューナ、２３・・・ディジタルチューナ、２８・・・システムコントローラ、４３・・・システムコントローラ、４６・・・ＬＣＤ、４７・・・タッチパネル、５１ａ・・・表示・センサー部、５１ｂ・・・センサー部、５２・・・指、５３・・・被選択表示、５４・・・メニュー表示
【図１】
2005004690.tif 000003
【図２】
2005004690.tif 000004
【図３】
2005004690.tif 000005
【図４】
2005004690.tif 000006
【図５】
2005004690.tif 000007
【図６】
2005004690.tif 000008
【図７】
2005004690.tif 000009
【図８】
2005004690.tif 000010
【図９】
2005004690.tif 000011
【図１０】
2005004690.tif 000012
【図１１】
2005004690.tif 000013
【図１２】
2005004690.tif 000014